(57)【要約】【課題】ヘッド部の小型化を達成できる歯科用インスツルメントを提供する。【解決手段】ヘッド部３０の内部に設けられ、歯牙治療具が装着されるスリーブ３２と、ヘッド部に連結するグリップ部２０の内部に設けられ、スリーブを回転させるスピンドル２２とを有する歯科用インスツルメントである。スピンドルとスリーブとを接続し、スピンドルの回転をスリーブに伝達するギア４４と、スピンドルの端面とスリーブの外周面との間に配置され、ヘッド部内にてスリーブを回転自在に支持する軸受３５，３６とを備える。【選択図】図１
2015019674.tif 000002
【特許請求の範囲】
【請求項１】
ヘッド部の内部に設けられ、歯牙治療具が装着されるスリーブと、前記ヘッド部に連結するグリップ部の内部に設けられ、前記スリーブを回転させるスピンドルとを有する歯科用インスツルメントであって、
前記スピンドルと前記スリーブとを接続し、前記スピンドルの回転を前記スリーブに伝達するギアと、前記スピンドルの端面と前記スリーブの外周面との間に配置され、前記ヘッド部内にて前記スリーブを回転自在に支持する軸受とを備えることを特徴とする歯科用インスツルメント。
【発明の詳細な説明】
【技術分野】
【０００１】
本発明は、歯科用インスツルメントに関し、特に、ヘッド部内に設けられ、歯牙治療具が装着されるスリーブと、ヘッド部に連結するグリップ部内に設けられ、スリーブを回転させるスピンドルとを有する歯科用インスツルメントに関する。
【背景技術】
【０００２】
う歯への治療方法は、う蝕部分の除去が一般的であり、歯科用インスツルメントによる歯牙の切削が行われている。歯科用インスツルメントには、圧縮空気によるエアータービンや、モータの回転によるマイクロエンジンを用いたものなどがある。このマイクロエンジンを用いたものは、歯科治療用マイクロエンジンインスツルメントとも呼ばれ、エアータービンに比べて変速が可能である。
【０００３】
例えば、特許文献１には、ハンドピースや動力部を備えた歯科用インスツルメントの技術が開示されている。ハンドピースは、グリップ部及びヘッド部からなり、グリップ部の一端が動力部のモータに接続され、グリップ部の他端がヘッド部に連結されている。歯牙治療具はヘッド部に装着される。
【０００４】
図５は、従来のヘッド部を説明するための断面図である。ヘッド部１３０内には、スリーブ（回転筒とも言う）１３２が１組のボール軸受１３５，１３６を介して回転自在に支持されている。スリーブ１３２の外周面にはギア１３３が形成され、ギア１２４に歯合する。このギア１２４は、支持筒１２１から突出したスピンドル（回転軸とも言う）１２２の端面に設けられている。これにより、モータ（図示省略）の回転は、スピンドル１２２、ギア１２４，１３３を介してスリーブ１３２や歯牙治療具（図示省略）に伝達される。
【先行技術文献】
【特許文献】
【０００５】
【特許文献１】特開２０１２−８５７８４号公報
【発明の概要】
【発明が解決しようとする課題】
【０００６】
しかしながら、従来のヘッド部１３０では、軸受１３５，１３６が、ギア１３３に歯合するスピンドル１２２の端面の位置を避け、スピンドル１２２の側面（より具体的には、ギア１２４の側方）に配置されている。このため、スリーブ１３２の長さを短くできず、ヘッド部１３０の高さ方向でみた小型化を達成できないという問題があった。
この場合、仮に、ギア１３３のピッチ円を大きくし、軸受１３６をスピンドルの端面とスリーブの外周面との間に配置してスリーブの長さを短くできたとしても、これではスリーブの径方向、言い換えれば、ヘッド部の幅方向でみた小型化を達成できない。
【０００７】
本発明は、上述のような実情に鑑みてなされたもので、ヘッド部の小型化を達成できる歯科用インスツルメントを提供することを目的とする。
【課題を解決するための手段】
【０００８】
上記課題を解決するために、請求項１の発明は、ヘッド部の内部に設けられ、歯牙治療具が装着されるスリーブと、前記ヘッド部に連結するグリップ部の内部に設けられ、前記スリーブを回転させるスピンドルとを有する歯科用インスツルメントであって、前記スピンドルと前記スリーブとを接続し、前記スピンドルの回転を前記スリーブに伝達するギアと、前記スピンドルの端面と前記スリーブの外周面との間に配置され、前記ヘッド部内にて前記スリーブを回転自在に支持する軸受とを備えることを特徴としたものである。
【発明の効果】
【０００９】
本発明によれば、スピンドルとスリーブとはギアを介して接続され、スピンドルとスリーブとが直接に接続されていないので、スリーブの軸受を、ギアの端面に配置できる。よって、スリーブの長さを短くできることから、ヘッド部の高さを小さくできる。また、スリーブとは別個のギアを設けるため、ヘッド部の幅も小さくできる。この結果、ヘッド部の小型化を達成することができる。
【図面の簡単な説明】
【００１０】
【図１】本発明の一実施形態に係る歯科用インスツルメントとして、歯科治療用マイクロエンジンを備えたハンドピースの例を説明するための断面図である。
【図２】図１に示したヘッド部の例を説明するための断面図である。
【図３】図１に示したヘッド部の例を説明するための分解斜視図である。
【図４】図３に示したスリーブの例を説明するための分解斜視図である。
【図５】従来のヘッド部を説明するための断面図である。
【発明を実施するための形態】
【００１１】
以下、図面を参照しながら本発明の歯科用インスツルメントについて説明する。図１は、本発明の一実施形態に係る歯科用インスツルメントとして、歯科治療用マイクロエンジンを備えたハンドピースの例を説明するための断面図である。図１に示すハンドピース１０は、第１グリップ部１１、第２グリップ部２０、及びヘッド部３０からなり、第１グリップ部１１の内部には、第１スピンドル１２が設けられている。
【００１２】
第１スピンドル１２は、第１ボール軸受１３，１４を介して回転自在に支持され、第１スピンドル１２の先端には先端ギア１９が、第１スピンドル１２の後端には連結機構１５がそれぞれ設けられている。
第１スピンドル１２は、バネ１６によって動力部（図示省略）に向けて付勢されており、この動力部と第１グリップ部１１とをネジ１７で締結すると、連結機構１５が動力部のモータに接続する。
【００１３】
第１グリップ部１１の内部には、例えばＬＥＤからの光を導くライドガイド１８が設置されている。ライドガイド１８は、その端面が第２グリップ部２０の内部から表出し、ヘッド部３０に設置された歯牙治療具（図示省略）の先端付近を照らすことができる。
第２グリップ部２０は、本発明のグリップ部に相当し、例えば、第１グリップ部１１に対して傾斜して配置されている。
【００１４】
第２グリップ部２０の内部には、支持筒２１や第２スピンドル２２が設けられている。なお、第２スピンドル２２が本発明のスピンドルに相当する。
第２スピンドル２２は、例えば、第２ボール軸受２５，２６を介して支持筒２１に回転自在に支持されている。なお、本発明は、ボール軸受に限定されない。第２スピンドル２２の後端には後端ギア２３が設けられ、第１グリップ部１１との境界位置にて、第１スピンドル１２の先端ギア１９に連結している。
【００１５】
一方、第２スピンドル２２の先端にはギア２４が設けられ、このギア２４は支持筒２１から突出してヘッド部３０の内部に達している。なお、図では、フェースギアと平歯車の例を挙げて説明するが、本発明は必ずしもこの例に限定されるものではなく、参照符号２４，４４は例えば、傘歯車同士でも適用可能である。
ヘッド部３０は、第２グリップ部２０に連結する連結筒３１を有する。連結筒３１は支持筒２１の外側に配置され、ネジ２８を用いて支持筒２１に固定される。
【００１６】
図２は、図１に示したヘッド部の例を説明するための断面図、図３は、図１に示したヘッド部の例を説明するための分解斜視図であり、図４は、図３に示したスリーブの例を説明するための分解斜視図である。
図２，３に示すように、ヘッド部３０は、歯牙治療具を装着可能なスリーブ３２を有し、スリーブ３２は、第３ボール軸受３５，３６を介して連結筒３１に回転自在に支持されている。なお、第３ボール軸受３５，３６が本発明の軸受に相当する。
【００１７】
スリーブ３２の回転軸は、第２スピンドル２２の回転軸に対して例えば直交方向に交差している。歯牙治療具は、その根元が開口３４から挿入されてスリーブ３２の内部に装着される。
スリーブ３２において、開口３４と反対側には、例えばプレスチャック方式のチャック機構３７が設けられている。スリーブ３２に装着されていた歯牙治療具は、チャック機構３７を押すと、スリーブ３２から抜き取ることができる。
【００１８】
ここで、上述した第３ボール軸受３５，３６は、支持筒２１から突出したギア２４の側方ではなく、後述する歯車４４の端面に配置されている。
図２，４に示すように、スリーブ３２の外周面であって、第３ボール軸受３５と第３ボール軸受３６との間には、例えば直歯による係合歯３３が形成されている。
【００１９】
そして、係合歯３３とギア２４とは、１枚の歯車４４を介して接続されている。なお、この歯車４４が本発明のギアに相当する。
具体的には、図３に示すように、ギア２４とスリーブ３２との間には、歯車保持台４０が設けられる。歯車保持台４０は、連結筒３１に設置される台座４１、歯車４４を嵌合するギア固定部４２、押え蓋４５を載置する蓋固定部４３からなり、歯車４４をスリーブ３２の回転軸に平行に配置させる。
【００２０】
モータの回転は、第１スピンドル１２、第２スピンドル２２を経てギア２４に伝達される。次いで、ギア２４に達したモータの回転は、歯車４４によって回転方向が直交方向に変更され、係合歯３３を介してスリーブ１３２や歯牙治療具に伝達される。
【００２１】
このように、本実施例によれば、第２スピンドル２２とスリーブ３２とは歯車４４を介して接続され、第２スピンドル２２とスリーブ３２とが直接に接続されていないので、第３ボール軸受３５，３６を、第２スピンドル２２の側面ではなく、歯車４４の端面に配置できる。よって、スリーブ３２の長さを短くでき、ヘッド部３０の高さを小さくした、ヘッド部３０の小型化を達成することができる。
【００２２】
さらに、スリーブ３２とは別個の歯車４４を設けるため、ヘッド部３０の幅も小さくした、ヘッド部３０の小型化も達成することができる。
また、ギア２４と歯車４４との組み合わせによれば、第２スピンドル２２の回転軸とスリーブ３２の回転軸とが交差しても、第２スピンドル２２の回転をスリーブ３２に速やかに伝達可能になる。また、回転力の伝達機構が複雑にならず、ヘッド部３０の製造コストを抑制できる。
【符号の説明】
【００２３】
１０…ハンドピース、１１…第１グリップ部、１２…第１スピンドル、１３，１４…第１ボール軸受、１５…連結機構、１６…バネ、１７…ネジ、１８…ライドガイド、１９…先端ギア、２０…第２グリップ部、２１…支持筒、２２…第２スピンドル、２３…後端ギア、２４…フェースギア、２５，２６…第２ボール軸受、２８…ネジ、３０…ヘッド部、３１…連結筒、３２…スリーブ、３３…係合歯、３４…開口、３５，３６…第３ボール軸受、３７…チャック機構、４０…歯車保持台、４１…台座、４２…ギア固定部、４３…蓋固定部、４４…平歯車、４５…押え蓋。
【図１】
2015019674.tif 000003
【図２】
2015019674.tif 000004
【図３】
2015019674.tif 000005
【図４】
2015019674.tif 000006
【図５】
2015019674.tif 000007